(57)【要約】【課題】袋が取り出しやすく、かつ取り出しスピードを速めることができ、しかも設置スペースを節約できるケース入り袋を提供する。【解決手段】本発明のケース入り袋１は、前面２ａ、背面２ｂ、左右の側面２ｃ，２ｄ、底面２ｅ及び上面２ｆを有し、内部に袋６を収容するための箱状のケース２と、このケース２内に収容された複数の袋６と、を備える。各袋は、上下に積層されて積層体をなし、この積層体が上下方向に蛇行し且つ蛇行する積層体の端面がケース２の側面２ｃ側を向く状態で、ケース２内に収容されている。ケース２は、ケース２から袋６を取り出す取出口５を形成するための取出口形成部３を有し、取出口５はケース２の上面２ｆから一方の側面２ｃにわたって開口するものである。【選択図】図１
2009091008.tif 000002
【特許請求の範囲】
【請求項１】
前面、背面、左右の側面、底面及び上面を有し内部に袋を収容するための箱状のケースと、
前記ケース内に収容された複数の袋と、を備え、
前記各袋は、上下に積層されて積層体をなし、該積層体が上下方向に蛇行し且つ蛇行する積層体の端面がケースの側面側を向く状態で、前記ケース内に収容されており、
前記ケースは、該ケースから袋を取り出す取出口を形成するための取出口形成部を有し、前記取出口はケースの上面から一方の側面にわたって開口するものである、ことを特徴とするケース入り袋。
【請求項２】
前記取出口は、前記上面における左右方向の開口寸法が該上面の左右方向寸法の１／２以上であり、前記側面における上下方向の開口寸法が該側面の上下方向寸法の１／２以上である、請求項１記載のケース入り袋。
【発明の詳細な説明】
【技術分野】
【０００１】
本発明は、複数枚の袋がケース内に積み重ねられて収容されたケース入り袋に関する。
【背景技術】
【０００２】
従来、袋（例えばゴミ袋）は、図５に示すように、ビニール製の収容袋１１に収容された形態で流通している。図５において、（Ａ）は収容袋１１に収容された袋１０を示す平面図であり、（Ｂ）はその断面図であり、（Ｃ）は袋１０が取り出される際の断面図である。
図５において、適当な大きさに折り畳まれた袋１０が、複数枚積み重ねられて束とされて、その束が（Ｂ）に示すように例えば２つ折りにされた状態で平面的に収容袋１１に収容される。収容袋１１の端（図で右端）には、袋を取り出すための取出口１２が形成されている。袋１０を収容袋１１から取り出す場合、図５（Ｃ）に示すように、取出口１２にて露出している最も外層側の袋１０を掴んで外側に引き出す。
【０００３】
なお、上述した先行技術を示す適当な文献を発見できなかったため、先行技術文献の表示は省略する。
【発明の開示】
【発明が解決しようとする課題】
【０００４】
上述した従来のビニール製の収容袋１１に収容された袋１０では、袋１０が平面的に積み重ねられているために、取り出そうとする袋１０に対してそれ以外の袋の重量がかかり、また、取出口１２の幅が狭いために、袋１０と取出口１２との接触抵抗が大きい。このため、袋１０を収容袋１１から取り出しにくいという問題がある。特に、袋１０の残量が少なくなった場合には、袋１０を引き出す際に収容袋１１が一緒に持ち上がってしまい、これが袋１０の取出しスピードを遅くし、大量に使用する使用者の作業効率を悪化させるという問題がある。
また、袋１０が平面的に収容され、これに合わせて収納袋１１も設置投影面積が大きい扁平形状となるため、比較的大きな設置スペースを要するという問題がある。
【０００５】
本発明は上記の問題に鑑みてなされてものであり、袋が取り出しやすく、かつ取り出しスピードを速めることができ、しかも設置スペースを節約できるケース入り袋を提供することを課題とする。
【課題を解決するための手段】
【０００６】
上記の課題を解決するために、本発明のケース入り袋は、以下の技術的手段を採用する。
すなわち、本発明のケース入り袋は、前面、背面、左右の側面、底面及び上面を有し、内部に袋を収容するための箱状のケースと、前記ケース内に収容された複数の袋と、を備え、前記各袋は、上下に積層されて積層体をなし、該積層体が上下方向に蛇行し且つ蛇行する積層体の端面がケースの側面側を向く状態で、前記ケース内に収容されており、前記ケースは、該ケースから袋を取り出す取出口を形成するための取出口形成部を有し、前記取出口はケースの上面から一方の側面にわたって開口するものである、ことを特徴とする。
【０００７】
上記本発明によれば、各袋が、上下に積層されて積層体をなし、この積層体が上下方向に蛇行し且つ蛇行する積層体の端面がケースの側面側を向く状態で、ケース内に収容されているので、取り出そうとする最上層の袋に対してそれ以外の袋の重量がかからず、また、上下の蛇行によって山の部分ができるので、袋が一枚ずつ掴みやすい。これにより、ケース内の袋が最初の一枚から最後の一枚まで取り出しやすい。
また、取出口がケースの側面まで形成されているので、袋と取出口の接触抵抗を少なくすることができる。これにより、取出しスピードを速くすることができ、大量に使用する使用者の作業効率を高めることができる。
また、取出口がケースの側面まで形成されるので、上面側からだけでなく、側面側から、或いは上面と側面の中間（斜め方向）からも袋を取り出すことができる。これにより、上方スペースにあまり余裕が無い狭小な場所にケース入り袋が設置された場合でも、容易に袋を取り出すことができる。また、取出口は、袋の積層体の蛇行する端面がケースの側面側で露出するように形成されるので、側面の取出口から袋の積層体の山の部分を掴むことにより側面側からでも容易に袋を取り出すことができる。
さらに、袋が上下方向に蛇行した状態でケース内に収容されるので、従来の収納袋に収容される場合と比べて、全体がコンパクトになり、設置スペースを小さくすることができる。
【０００８】
また、上記のケース入り袋において、前記取出口は、前記上面における左右方向の開口寸法が該上面の左右方向寸法の１／２以上であり、前記側面における上下方向の開口寸法が該側面の上下方向寸法の１／２以上である。
【０００９】
このように取出口の開口寸法を設定することにより、袋と取出口の接触抵抗を十分に小さく抑えることができる。
【発明の効果】
【００１０】
本発明のケース入り袋によれば、ケース内の袋が取り出しやすく、かつ取り出しスピードを速めることができ、しかも設置スペースを節約できるという優れた効果が得られる。
【発明を実施するための最良の形態】
【００１１】
以下、本発明の好ましい実施形態を添付図面に基づいて詳細に説明する。なお、各図において共通する部分には同一の符号を付し、重複した説明を省略する。
【００１２】
図１は、本発明の実施形態にかかるケース入り袋１の斜視図である。図２はケース入り袋１の側面図、図３はケース入り袋１の断面図である。
図１〜図３に示すように、ケース入り袋１は、ケース２と、そのケース２に収容された複数の袋６とを備える。なお、図１において、Ｘ方向を前後方向とし、Ｙ方向を左右方向とする。
【００１３】
ケース２は、前面２ａ、背面２ｂ、左右の側面２ｃ，２ｄ、底面２ｅ及び上面２ｆからなる平行六面体の箱状に形成されている。図１に示したケース２は、直方体形状であるが、立方体形状であってもよい。このケース２は、紙で製作することができる。
またケース２は、ケース２から袋６を取り出す取出口５を形成するための取出口形成部３を有する。取出口形成部３はケース２の上面２ｆから側面２ｃにわたって延在している。
ケース２には取出口形成部３の輪郭が形成されるように上面２ｆ及び側面２ｃにミシン目４が形成されており、ミシン目４に沿って取出口形成部３が切り取られることにより、ケース２の上面２ｆから側面２ｃにわたって開口する取出口５（上面開口５ａ及び側面開口５ｂ）が形成される。なお、図１では、切り取られる途中段階の取出口形成部３を仮想線（二点差線）で示している。
【００１４】
図１に示すように、上記のミシン目４は二重ミシン目であるのが好ましく、二重ミシン目とすることにより取出口形成部３を容易に切り取ることができる。
また、上面開口５ａは、左右方向（Ｙ方向）の開口寸法を上面２ｆの左右方向の寸法と一致させるのではなくて、上面２ｆの左右方向の寸法よりも若干短く設定し、他方の側面２ｄ側に非開口部分を残しておくのがよい。これにより、上面開口５ａを広くしつつケース強度を保持することができる。
【００１５】
ケース２内に収容される袋６は、例えば、ゴミ袋や、小分け用の袋などであるが、大きさ、材質、用途は特に限定されない。
図２及び図３に示すように、各袋６は、上下に積層されて積層体をなし、この積層体が上下方向に蛇行し且つ蛇行する積層体の端面がケース２の側面側を向く状態で、ケース２内に収容されている。また、このように袋６をケース２内で蛇行させた状態で収容するために、ケース２内には心材７が設置されている。本実施形態において、この心材７は、図３に示すように、底面２ｅ側から立ち上がり前後方向に間隔を空けて互いに平行に配置された３つの支持部７ａを有している。この心材７の形状に沿わせて袋６の積層体をケース２に詰め込むことで、袋６の積層体が上下に蛇行した状態でケース２内に収容される。
【００１６】
本実施形態では、上部に三つの山ができるように袋６の積層体を蛇行させているが、心材７の支持部７ａの数を変えて、２つ或いは４つ以上の山ができるように蛇行させてもよい。なお、心材７は、例えばダンボール材で製作することができる。
上記の取出口５は、取出口５から手を入れて蛇行した袋６の山の部分を掴めるように前後方向（図１のＸ方向）の開口寸法と位置が設定されている。
【００１７】
次に、上記のように構成されたケース入り袋１の使用時における作用及び効果について説明する。
ケース入り袋１を使用する場合、まず、取出口形成部３をケース２から切り取って袋６を取り出せる状態としておく。そして、ケース入り袋１から袋６を取り出すには、取出口５から、蛇行によってできた袋６の山の部分を掴んで袋６を引き出す。このとき、各袋６は上下に積層されて積層体をなしており、この積層体が上下方向に蛇行し且つ蛇行する積層体の端面がケース２の側面側を向く状態で、ケース２内に収容されているので、取り出そうとする最上層の袋６に対してそれ以外の袋６の重量がかからず、また、上下の蛇行によって山の部分ができるので、袋６が一枚ずつ掴みやすい。これにより、ケース２内の袋６が最初の一枚から最後の一枚まで取り出しやすい。
また、袋６が上下方向に蛇行した状態でケース２内に収容されているので、従来の収納袋１１（図５参照）に収容される場合と比べて、設置投影面積が小さくなり、設置スペースを小さくすることができる。
【００１８】
また、取出口５がケース２の側面２ｃまで延びて側面開口５ｂが形成されているので、袋６と取出口５の接触抵抗を少なくすることができる。これにより、取出しスピードを速くすることができ、大量に使用する使用者の作業効率を高めることができる。
上面開口５ａの左右方向の開口寸法は上面２ｆの左右方向寸法の１／２以上であり、側面開口５ｂの上下方向の開口寸法は側面２ｃの上下方向寸法の１／２以上であるのが良い。このように取出口５（上面開口５ａ及び側面開口５ｂ）の開口寸法を設定することにより、袋６と取出口５の接触抵抗を十分に小さく抑えることができる。
【００１９】
図４は、ケース入り袋１を正面から見た図である。取出口５がケース２の側面２ｃまで延びて側面開口５ｂが形成されるので図４に示すように、上面２ｆ側からだけでなく、側面２ｃ側から、或いは上面２ｆと側面２ｃの中間（斜め方向）からも袋６を取り出すことができる。これにより、上方スペースにあまり余裕が無い狭小な場所にケース入り袋１が設置された場合でも、容易に袋６を取り出すことができる。
【００２０】
以上の説明から明らかなように、本発明のケース入り袋１によれば、ケース２内の袋６が取り出しやすく、かつ取り出しスピードを速めることができ、しかも設置スペースを節約できるという優れた効果が得られる。
【００２１】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００２２】
【図１】本発明の実施形態にかかるケース入り袋の斜視図である。
【図２】本発明の実施形態にかかるケース入り袋の側面図である。
【図３】本発明の実施形態にかかるケース入り袋の断面図である。
【図４】本発明の実施形態にかかるケース入り袋の正面図である。
【図５】従来技術を説明する図である。
【符号の説明】
【００２３】
１  ケース入り袋
２  ケース
２ａ  前面
２ｂ  背面
２ｃ，２ｄ  側面
２ｅ  底面
２ｆ  上面
３  取出口形成部
４  ミシン目
５  取出口
６  袋
７  心材
７ａ  支持部
【図１】
2009091008.tif 000003
【図２】
2009091008.tif 000004
【図３】
2009091008.tif 000005
【図４】
2009091008.tif 000006
【図５】
2009091008.tif 000007